(57)【要約】【課題】乗場釦が連続して操作されていることを検出することができるエレベーター乗場釦装置を得る。【解決手段】操作されることによって乗場呼びが登録される乗場釦１０２と、乗場釦１０２が連続して操作されている時間を測定する押時間測定部１０３と、押時間測定部１０３の測定結果に基づいて、乗場釦１０２が連続して操作されていることを検出する異常押検出部１０４と、異常押検出部１０４の検出結果に基づいて、乗場釦１０２に異常が発生したことを報知する報知部１０５とを備えている。【選択図】図３
2020176006.tif 000002
【特許請求の範囲】
【請求項１】
操作されることによって乗場呼びが登録される乗場釦と、
前記乗場釦が連続して操作されている時間を測定する押時間測定部と、
前記押時間測定部の測定結果に基づいて、前記乗場釦が連続して操作されていることを検出する異常押検出部と
を備えたエレベーター乗場釦装置。
【請求項２】
前記異常押検出部の検出結果に基づいて、前記乗場釦に異常が発生したことを報知する報知部をさらに備えた請求項１に記載のエレベーター乗場釦装置。
【請求項３】
前記乗場釦を支持する乗場釦支持部と、
通常位置と前記通常位置よりも前記乗場釦支持部に対して奥行方向について手前側にある押出位置との間で、前記乗場釦を移動させる乗場釦移動部と
をさらに備え、
前記乗場釦移動部は、前記異常押検出部の検出結果に基づいて、前記乗場釦を前記通常位置と前記押出位置との間で移動させる請求項１または請求項２に記載のエレベーター乗場釦装置。
【請求項４】
前記乗場釦を支持する乗場釦支持部と、
通常位置と前記通常位置よりも前記乗場釦支持部に対して奥行方向について奥側にある退避位置との間で、前記乗場釦を移動させる乗場釦移動部と
をさらに備え、
前記乗場釦移動部は、前記異常押検出部の検出結果に基づいて、前記乗場釦を前記通常位置から前記退避位置に移動させる請求項１または請求項２に記載のエレベーター乗場釦装置。
【請求項５】
前記乗場釦が操作されていない場合に前記乗場釦が設置される領域である設置領域から異物が除去されたことを検出する異物除去検出部をさらに備え、
前記乗場釦移動部は、前記異物除去検出部の検出結果に基づいて、前記乗場釦を前記退避位置から前記通常位置に移動させる請求項４に記載のエレベーター乗場釦装置。
【請求項６】
前記異常押検出部の検出結果に基づいて、前記乗場呼びの登録を停止する登録停止部をさらに備えた請求項１または請求項２に記載のエレベーター乗場釦装置。
【請求項７】
前記乗場釦が操作されていない場合に前記乗場釦が設置される領域である設置領域から異物が除去されたことを検出する異物除去検出部をさらに備え、
前記登録停止部は、前記異物除去検出部の検出結果に基づいて、前記乗場呼びの登録の停止を解除する請求項６に記載のエレベーター乗場釦装置。
【発明の詳細な説明】
【技術分野】
【０００１】
この発明は、乗場釦が操作されることによって乗場呼びが登録されるエレベーター乗場釦装置に関する。
【背景技術】
【０００２】
従来、各階の乗場に設けられた複数の乗場釦を備え、乗場釦が操作されることによって、操作された乗場釦が設けられた乗場に対応する乗場呼びがエレベーター制御盤に登録されエレベーター乗場釦装置が知られている（例えば、特許文献１参照）。
【先行技術文献】
【特許文献】
【０００３】
【特許文献１】特開２０１５−２０２９３４号公報
【発明の概要】
【発明が解決しようとする課題】
【０００４】
しかしながら、例えば、商業施設において、カートなどの異物が乗場釦に当たり、乗場釦が連続して操作されたままとなる場合がある。この場合に、乗場呼びが登録され、かごが対応する乗場に到着しても、乗場釦が操作されたままとなる。これにより、乗場呼びが登録されたままとなり、かごが移動できなくなるという問題点があった。
【０００５】
この発明は、上述のような課題を解決するためになされたものであり、その目的は、乗場釦が連続して操作されていることを検出することができるエレベーター乗場釦装置を提供するものである。
【課題を解決するための手段】
【０００６】
この発明に係るエレベーター乗場釦装置は、操作されることによって乗場呼びが登録される乗場釦と、乗場釦が連続して操作されている時間を測定する押時間測定部と、押時間測定部の測定結果に基づいて、乗場釦が連続して操作されていることを検出する異常押検出部とを備えている。
【発明の効果】
【０００７】
この発明に係るエレベーター乗場釦装置によれば、乗場釦が連続して操作されていることを検出することができる。
【図面の簡単な説明】
【０００８】
【図１】この発明の実施の形態１にエレベーター乗場釦装置を示す正面図である。
【図２】図１のエレベーター乗場釦装置を示す断面図である。
【図３】図１のエレベーター乗場釦装置を示すブロック図である。
【図４】この発明の実施の形態２に係るエレベーター乗場釦装置を示す断面図である。
【図５】図４のエレベーター乗場釦装置を示すブロック図である。
【図６】図４の乗場釦が移動した場合のエレベーター乗場釦装置を示す断面図である。
【図７】この発明の実施の形態３に係るエレベーター乗場釦装置を示す断面図である。
【図８】図７のエレベーター乗場釦装置を示すブロック図である。
【図９】図７の乗場釦が移動した場合のエレベーター乗場釦装置を示す断面図である。
【図１０】この発明の実施の形態４に係るエレベーター乗場釦装置を示すブロック図である。
【発明を実施するための形態】
【０００９】
実施の形態１．
図１は、この発明の実施の形態１にエレベーター乗場釦装置を示す正面図である。図２は、図１のエレベーター乗場釦装置を示す断面図である。図３は、図１のエレベーター乗場釦装置を示すブロック図である。エレベーター乗場釦装置１Ａは、乗場壁２に設けられた乗場釦支持部１０１と、乗場釦支持部１０１に支持された乗場釦１０２とを備えている。乗場釦１０２は、利用者に操作される。
【００１０】
また、エレベーター乗場釦装置１Ａは、乗場釦１０２が連続して操作されている時間を測定する押時間測定部１０３と、押時間測定部１０３の測定結果に基づいて、乗場釦１０２が連続して操作されていることを検出する異常押検出部１０４と、異常押検出部１０４の検出結果に基づいて、乗場釦１０２に異常が発生したことを報知する報知部１０５と備えている。
【００１１】
乗場釦１０２は、図示しないエレベーター制御盤に電気的に接続されている。エレベーター制御盤は、図示しないかごの昇降を制御する。乗場釦１０２が利用者に操作されることによって、エレベーター制御盤には、操作された乗場釦１０２が配置された乗場に対応する乗場呼びが登録される。乗場呼びがエレベーター制御盤に登録されることによって、操作された乗場釦１０２が配置された乗場に、かごが移動する。
【００１２】
押時間測定部１０３は、乗場釦１０２に電気的に接続されている。乗場釦１０２が連続して操作されている間は、乗場釦１０２が操作されていることを示す操作時間信号が連続して乗場釦１０２から押時間測定部１０３に入力される。押時間測定部１０３は、図示しないタイマーを有している。押時間測定部１０３は、操作時間信号が連続して入力されている時間を測定する。押時間測定部１０３によって測定された時間を連続操作時間とする。
【００１３】
異常押検出部１０４は、押時間測定部１０３に電気的に接続されている。押時間測定部１０３の測定結果は、異常押検出部１０４に入力される。異常押検出部１０４には、異常時間が設定されている。異常押検出部１０４は、連続操作時間が異常時間に達したか否かに基づいて、乗場釦１０２が連続して操作されていることを検出する。具体的には、異常押検出部１０４は、連続操作時間が異常時間に達していない場合に、乗場釦１０２が連続して操作されていないと判定する。一方、異常押検出部１０４は、連続操作時間が異常時間に達した場合に、乗場釦１０２が連続して操作されたと判定する。異常押検出部１０４に設定される異常時間は、任意の時間に変更可能となっている。
【００１４】
押時間測定部１０３および異常押検出部１０４は、乗場に配置されている。なお、押時間測定部１０３および異常押検出部１０４は、エレベーター制御盤によって構成されてもよい。
【００１５】
報知部１０５は、異常押検出部１０４に電気的に接続されている。異常押検出部１０４の検出結果は、報知部１０５に入力される。報知部１０５は、乗場釦１０２が連続して操作されたことを異常押検出部１０４が検出した場合に、乗場釦１０２に異常が発生したことを報知する。報知部１０５としては、スピーカー、表示装置などが挙げられる。
【００１６】
報知部１０５は、乗場に配置されている。乗場釦１０２に異常が発生したことを報知部１０５が報知することによって、報知部１０５の周囲にいる人に対して、乗場釦１０２に異常が発生したことを知らせることができる。
【００１７】
乗場釦１０２に異常が発生したことを知った人は、乗場釦１０２を操作している異物を除去する。これにより、乗場釦１０２が異物によって操作された状態が維持されることが抑制される。
【００１８】
以上説明したように、この発明の実施の形態１に係るエレベーター乗場釦装置１Ａによれば、乗場釦１０２が連続して操作されている時間を測定する押時間測定部１０３と、押時間測定部１０３の測定結果に基づいて、乗場釦１０２が連続して操作されていることを検出する異常押検出部１０４とを備えている。これにより、異物が乗場釦１０２に当たり、乗場釦１０２が操作されたままである場合に、乗場釦１０２が連続して操作されていることを検出することができる。
【００１９】
また、このエレベーター乗場釦装置１Ａは、異常押検出部１０４の検出結果に基づいて、乗場釦１０２に異常が発生したことを報知する報知部１０５をさらに備えている。これにより、異物が乗場釦１０２に当たり、乗場釦１０２が操作されたままである場合に、報知部１０５の周囲の人に対して、乗場釦１０２に異常が発生したことを知らせることができる。その結果、かごが移動できなくなることが抑制される。
【００２０】
実施の形態２．
図４は、この発明の実施の形態２に係るエレベーター乗場釦装置を示す断面図である。図５は、図４のエレベーター乗場釦装置を示すブロック図である。エレベーター乗場釦装置１Ｂは、異常押検出部１０４の検出結果に基づいて、乗場釦１０２を乗場釦支持部１０１に対して移動させる乗場釦移動部１０６をさらに備えている。乗場釦移動部１０６は、複数の乗場釦１０２のそれぞれに対応して設けられている。
【００２１】
乗場釦支持部１０１は、乗場釦１０２が奥行方向Ａについて乗場釦支持部１０１に対して移動可能となるように、乗場釦１０２を支持している。図６は、図４の乗場釦１０２が移動した場合のエレベーター乗場釦装置を示す断面図である。乗場釦１０２は、通常位置と、通常位置よりも乗場釦支持部１０１に対して奥行方向Ａについて手前側にある押出位置との間で移動する。図４では、乗場釦１０２の位置が通常位置である場合のエレベーター乗場釦装置を示し、図６では、乗場釦１０２の位置が押出位置である場合のエレベーター乗場釦装置を示している。奥行方向Ａについて手前側とは、利用者が乗場釦１０２を操作する時に利用者が乗場釦１０２を押す方向に対する反対方向側である。乗場釦１０２の位置が通常位置である場合に、乗場釦１０２の表面は、乗場釦支持部１０１の表面よりも奥行方向Ａについて手前側に配置される。
【００２２】
図５に示すように、乗場釦移動部１０６は、異常押検出部１０４に電気的に接続されている。異常押検出部１０４の検出結果は、乗場釦移動部１０６に入力される。乗場釦移動部１０６は、乗場釦１０２が連続して操作されたことを異常押検出部１０４が検出した場合に、乗場釦１０２を通常位置から押出位置に移動させ、その後、乗場釦１０２を押出位置から通常位置に移動させる。なお、乗場釦１０２における通常位置と押出位置との間の移動は、複数回繰り返されてもよい。
【００２３】
乗場釦１０２が通常位置から押出位置に移動し、その後、乗場釦１０２が押出位置から通常位置に移動することによって、乗場釦１０２を操作する異物が、乗場釦１０２から離れる。これにより、乗場釦１０２が操作された状態が維持されることが抑制される。その他の構成は、実施の形態１と同様である。
【００２４】
以上説明したように、この発明の実施の形態２に係るエレベーター乗場釦装置１Ｂによれば、通常位置と押出位置との間で、乗場釦１０２を移動させる乗場釦移動部１０６をさらに備えている。乗場釦移動部１０６は、異常押検出部１０４の検出結果に基づいて、乗場釦１０２を通常位置と押出位置との間で移動させる。これにより、異物が乗場釦１０２に当たり、乗場釦１０２が操作されたままである場合に、乗場釦１０２が操作された状態が維持されることが抑制される。その結果、かごが移動できなくなることを抑制することができる。
【００２５】
なお、実施の形態２では、異常押検出部１０４の検出結果に基づいて、乗場釦移動部１０６が乗場釦１０２を移動させる構成について説明した。これに限らず、異常押検出部１０４の検出結果に基づいて、乗場釦移動部１０６が乗場釦１０２を移動させるとともに、実施の形態１と同様に、乗場釦１０２に異常が発生したことを報知部１０５が報知する構成であってもよい。
【００２６】
また、実施の形態２では、乗場釦１０２が通常位置から押出位置に移動することによって、乗場釦１０２を操作する異物が乗場釦１０２から離れる構成について説明した。しかしながら、これに限らず、例えば、乗場の床に傾斜面を設けることによって、乗場釦１０２を操作する異物が乗場釦１０２から離れる構成であってもよい。この傾斜面は、乗場釦１０２に近づくにつれて高さ方向の位置が高くなるように、水平面に対して傾斜して配置される。この場合に、エレベーター乗場釦装置１Ｂは乗場釦移動部１０６を備えなくてもよく、また、乗場釦１０２は乗場釦支持部１０１に対して移動しなくてもよい。
【００２７】
実施の形態３．
図７は、この発明の実施の形態３に係るエレベーター乗場釦装置を示す断面図である。図８は、図７のエレベーター乗場釦装置を示すブロック図である。エレベーター乗場釦装置１Ｃは、異常押検出部１０４の検出結果に基づいて、乗場釦１０２を乗場釦支持部１０１に対して移動させる乗場釦移動部１０６と、設置領域から異物が除去されたことを検出する異物除去検出部１０７とをさらに備えている。設置領域とは、乗場釦１０２が操作されていない場合に乗場釦１０２が設置される領域である。
【００２８】
乗場釦支持部１０１は、乗場釦１０２が奥行方向Ａについて乗場釦支持部１０１に対して移動可能となるように、乗場釦１０２を支持している。図９は、図７の乗場釦１０２が移動した場合のエレベーター乗場釦装置を示す断面図である。乗場釦１０２は、通常位置と、通常位置よりも乗場釦支持部１０１に対して奥行方向Ａについて奥側にある退避位置との間で移動する。図７では、乗場釦１０２の位置が通常位置である場合のエレベーター乗場釦装置を示し、図９では、乗場釦１０２の位置が退避位置である場合のエレベーター乗場釦装置を示している。奥行方向Ａについて奥側とは、利用者が乗場釦１０２を操作する時に利用者が乗場釦１０２を押す方向側である。言い換えれば、奥行方向Ａについて奥側とは、奥行方向Ａについて手前側に対して反対側である。
【００２９】
乗場釦１０２の位置が通常位置である場合に、乗場釦１０２の表面は、乗場釦支持部１０１の表面よりも奥行方向Ａについて手前側に配置される。一方、乗場釦１０２の位置が退避位置である場合に、乗場釦１０２の表面は、乗場釦支持部１０１の表面よりも、奥行方向Ａについて奥側に配置される。
【００３０】
図８に示すように、乗場釦移動部１０６は、異常押検出部１０４に電気的に接続されている。異常押検出部１０４の検出結果は、乗場釦移動部１０６に入力される。乗場釦移動部１０６は、乗場釦１０２が連続して操作されたことを異常押検出部１０４が検出した場合に、乗場釦１０２を通常位置から退避位置に移動させる。
【００３１】
乗場釦１０２が通常位置から退避位置に移動することによって、乗場釦１０２を操作する異物が、乗場釦１０２から離れる。これにより、乗場釦１０２が操作された状態が維持されることが抑制される。
【００３２】
異物除去検出部１０７は、図示しないカメラを有している。異物除去検出部１０７のカメラは、設置領域が含まれる領域を撮影する。異物除去検出部１０７は、カメラの画像を用いて、設置領域から異物が除去されたことを検出する。なお、異物除去検出部１０７は、カメラを用いずに、その他の方法で、設置領域から異物が除去されたことを検出してもよい。
【００３３】
乗場釦移動部１０６は、異物除去検出部１０７に電気的に接続されている。異物除去検出部１０７の検出結果は、乗場釦移動部１０６に入力される。乗場釦移動部１０６は、異物除去検出部１０７の検出結果に基づいて、乗場釦１０２を退避位置から通常位置に移動させる。具体的には、乗場釦移動部１０６は、設置領域から異物が除去されたことを異物除去検出部１０７が検出した場合に、乗場釦１０２を退避位置から通常位置に移動させる。その他の構成は、実施の形態１と同様である。
【００３４】
以上説明したように、この発明の実施の形態３に係るエレベーター乗場釦装置１Ｃによれば、通常位置と退避位置との間で、乗場釦１０２を移動させる乗場釦移動部１０６をさらに備えている。乗場釦移動部１０６は、異常押検出部１０４の検出結果に基づいて、乗場釦１０２を通常位置から退避位置に移動させる。これにより、異物が乗場釦１０２に当たり、乗場釦１０２が操作されたままである場合に、乗場釦１０２が操作された状態が維持されることが抑制される。その結果、かごが移動できなくなることを抑制することができる。
【００３５】
また、このエレベーター乗場釦装置１Ｃは、設置領域から異物が除去されたことを検出する異物除去検出部１０７をさらに備えている。乗場釦移動部１０６は、異物除去検出部１０７の検出結果に基づいて、乗場釦１０２を退避位置から通常位置に移動させる。これにより、乗場釦１０２を操作する異物が除去された場合に、乗場釦１０２の位置を通常位置に戻すことができる。
【００３６】
なお、実施の形態３では、異常押検出部１０４の検出結果に基づいて、乗場釦移動部１０６が乗場釦１０２を移動させる構成について説明した。これに限らず、異常押検出部１０４の検出結果に基づいて、乗場釦移動部１０６が乗場釦１０２を移動させるとともに、実施の形態１と同様に、乗場釦１０２に異常が発生したことを報知部１０５が報知する構成であってもよい。
【００３７】
実施の形態４．
図１０は、この発明の実施の形態４に係るエレベーター乗場釦装置を示すブロック図である。エレベーター乗場釦装置１Ｄは、設置領域から異物が除去されたことを検出する異物除去検出部１０７と、異常押検出部１０４の検出結果に基づいて、乗場呼びの登録を停止する登録停止部１０８とをさらに備えている。
【００３８】
異物除去検出部１０７は、図示しないカメラを有している。異物除去検出部１０７のカメラは、設置領域が含まれる領域を撮影する。異物除去検出部１０７は、カメラの画像を用いて、設置領域から異物が除去されたことを検出する。なお、異物除去検出部１０７は、カメラを用いずに、その他の方法で、設置領域から異物が除去されたことを検出してもよい。
【００３９】
登録停止部１０８は、異常押検出部１０４に電気的に接続されている。異常押検出部１０４の検出結果は、登録停止部１０８に入力される。また、登録停止部１０８は、エレベーター制御盤に電気的に接続されている。登録停止部１０８は、乗場釦１０２が連続して操作されたことを異常押検出部１０４が検出した場合に、対応する乗場釦１０２について、エレベーター制御盤に乗場呼びが登録されることを停止する。
【００４０】
登録停止部１０８は、異物除去検出部１０７に電気的に接続されている。異物除去検出部１０７の検出結果は、登録停止部１０８に入力される。登録停止部１０８は、異物除去検出部１０７の検出結果に基づいて、乗場呼びの登録の停止を解除する。具体的には、登録停止部１０８は、設置領域から異物が除去されたことを異物除去検出部１０７が検出した場合に、対応する乗場釦１０２について、エレベーター制御盤への乗場呼びの登録の停止を解除する。その他の構成は、実施の形態１と同様である。
【００４１】
以上説明したように、この発明の実施の形態４に係るエレベーター乗場釦装置１Ｄによれば、異常押検出部１０４の検出結果に基づいて、乗場呼びの登録を停止する登録停止部１０８をさらに備えている。これにより、異物が乗場釦１０２に当たり、乗場釦１０２が操作されたままである場合に、かごが移動できなくなることを抑制することができる。
【００４２】
また、エレベーター乗場釦装置１Ｄによれば、登録停止部１０８は、異物除去検出部１０７の検出結果に基づいて、乗場呼びの登録の停止を解除する。これにより、乗場釦１０２を操作する異物が除去された場合に、乗場呼びの登録を可能にすることができる。
【００４３】
なお、実施の形態４では、乗場釦１０２に異常が発生したことを知った人が、乗場釦１０２を操作している異物を除去し、その後、異物除去検出部１０７の検出結果に基づいて、乗場呼びの登録の停止を解除する構成について説明した。しかしながら、実施の形態２と同様に、乗場釦１０２が通常位置と押出位置との間で移動して、その後、異物除去検出部１０７の検出結果に基づいて、乗場呼びの登録の停止を解除する構成であってもよい。
【００４４】
また、実施の形態４では、異常押検出部１０４の検出結果に基づいて、登録停止部１０８が乗場呼びの登録を停止する構成について説明した。これに限らず、異常押検出部１０４の検出結果に基づいて、登録停止部１０８が乗場呼びの登録を停止するとともに、実施の形態１と同様に、乗場釦１０２に異常が発生したことを報知部１０５が報知する構成であってもよい。
【符号の説明】
【００４５】
１Ａ、１Ｂ、１Ｃ、１Ｄ  エレベーター乗場釦装置、２  乗場壁、１０１  乗場釦支持部、１０２  乗場釦、１０３  押時間測定部、１０４  異常押検出部、１０５  報知部、１０６  乗場釦移動部、１０７  異物除去検出部、１０８  登録停止部。
【図１】
2020176006.tif 000003
【図２】
2020176006.tif 000004
【図３】
2020176006.tif 000005
【図４】
2020176006.tif 000006
【図５】
2020176006.tif 000007
【図６】
2020176006.tif 000008
【図７】
2020176006.tif 000009
【図８】
2020176006.tif 000010
【図９】
2020176006.tif 000011
【図１０】
2020176006.tif 000012